(57)【要約】【課題】気密性の向上を図った気密化粧料容器を提供する。【解決手段】気密化粧料容器１０は、収納容器１１内に棒状化粧料１５を収容し、収納容器１１の嵌合部１９に金属製のキャップ１８をはめ込むことにより、収納容器１１の開口をキャップ１８で覆うように構成したものである。この気密化粧料容器１０は、キャップ１８と嵌合部１９との気密性を保つために、この嵌合部１９に嵌合可能な樹脂製のインナーパーツ２０をキャップ１８内に設け、このインナーパーツ２０のうち、嵌合部１９に嵌合するリップ部１９の頂部１９ａを除いた内面２０ａに金属製の揮散防止パーツ２５を重設し、揮散防止パーツ２５とインナーパーツ２０とを二層状に構成している。【選択図】  図１
2004329632.tif 000002
【特許請求の範囲】
【請求項１】
収納容器内に棒状化粧料などの中味を収容し、収納容器の嵌合部に金属製のキャップをはめ込むことにより、収納容器の開口をキャップで覆うように構成した気密化粧料容器において、
前記キャップと前記嵌合部との気密性を保つために、この嵌合部に嵌合可能となる樹脂製のインナーパーツをキャップ内に設け、
このインナーパーツにおいて、嵌合部に嵌合する部位を除いた内面又は外面に金属製の揮散防止パーツを重設し、この揮散防止パーツとインナーパーツとを二層状に構成したことを特徴とする気密化粧料容器。
【請求項２】
前記インナーパーツは、ＬＤＰＥ、Ｌ−ＬＤＰＥ、ポリアミド、ＴＰＵなどのショアー硬度６０以下の軟質樹脂であることを特徴とする請求項１記載の気密化粧料容器。
【請求項３】
前記中味は、水、エタノール、オクタメチルシクロテトラシロキサン、デカメチルシクロペンタシロキサン、ドデカメチルシクロヘキサシロキサンなどの揮散成分を合計５重量％以上配合したものであることを特徴とする請求項１又は２記載の気密化粧料容器。
【発明の詳細な説明】
【０００１】
【発明の属する技術分野】
本発明は気密化粧料容器に係り、さらに詳しくは、収納容器内に棒状化粧料などの中味を収容し、収納容器の嵌合部に金属製のキャップをはめ込むことにより収納容器をキャップで覆うように構成した気密化粧料容器に関する。
【０００２】
【従来の技術】
一般的な気密化粧料容器として、収納容器内のガイド筒に沿ってカートリッジ筒を昇降動自在に設け、カートリッジ筒内に棒状化粧料の根元部を取り付け、このカートリッジ筒を収納位置まで下げて棒状化粧料をガイド筒内に収納した状態で、ガイド筒にキャップを被せ、このキャップの開口を収納容器の嵌合部に嵌合させるように構成したものが知られている（例えば、特許文献１参照）。
【０００３】
【特許文献１】
特許第２６５５７８４号公報（第２〜３頁、第１図）
【０００４】
一般的な気密化粧料容器は、収納容器内にガイド筒を設け、このガイド筒内に、ガイド筒内に沿ってカートリッジ筒を昇降動自在に設け、カートリッジ筒内に棒状化粧料（例えば、リップスティックなど）の根元部を取り付け、このカートリッジ筒を収納位置まで下げて棒状化粧料をガイド筒内に収納し、かつカートリッジ筒を使用位置まで上げて棒状化粧料をガイド筒から突出させるように構成している。
【０００５】
さらに、この気密化粧料容器は、カートリッジ筒を収納位置まで下げて棒状化粧料をガイド筒内に収納した状態で、ガイド筒に被せることができるキャップを備えている。
このキャップは、収納容器の嵌合部との気密性を保つ必要があり、この嵌合部に好適に嵌合させるために、キャップの内部には、キャップよりも柔軟な樹脂製のプラグスリーブが設けられている。
【０００６】
【発明が解決しようとする課題】
ところで、気密化粧料容器は、極力小型化したほうが意匠上好まれる傾向にあり、必然的にプラグスリーブは比較的肉薄になっていた。このように、プラグスリーブを肉薄に形成した場合には、棒状化粧料に含まれている揮散成分がプラグスリーブを透過してしまうおそれがある。
このため従来の気密化粧料容器にあっては、その収納容器にキャップを被せた際に、キャップの気密性を十分に保つということが難しくなり、そのことが棒状化粧料の寿命を短くしていた。
【０００７】
この発明は、キャップの気密性の向上を図ることができる気密化粧料容器を提供して、上述した全ての問題点を解消しようとするものである。
【０００８】
【課題を解決するための手段】
上記目的を達成するために、請求項１記載の発明は、収納容器内に棒状化粧料などの中味を収容し、収納容器の嵌合部に金属製のキャップをはめ込むことにより、収納容器の開口をキャップで覆うように構成した気密化粧料容器において、前記キャップと前記嵌合部との気密性を保つために、この嵌合部に嵌合可能となる樹脂製のインナーパーツをキャップ内に設け、このインナーパーツにおいて、嵌合部に嵌合する部位を除いた内面又は外面に金属製の揮散防止パーツを重設し、この揮散防止パーツとインナーパーツとを二層状に構成したことを特徴とする。
【０００９】
本発明に係る気密化粧料容器によれば、キャップと嵌合部との気密性を保つために、嵌合部に嵌合可能な樹脂製のインナーパーツをキャップ内に設けた。このため、嵌合部にインナーパーツを嵌合することで、キャップの気密性を確保することができる。
【００１０】
さらに、インナーパーツにおいて、嵌合部に嵌合する部位を除いた内面又は外面に金属製の揮散防止パーツを重設し、この揮散防止パーツとインナーパーツとを二層状に形成した。
このように金属製の揮散防止パーツを備えたので、中味に含まれている揮散成分が揮散した際に、その揮散成分がインナーパーツを透過するのを防止できるようになる。
【００１１】
また、請求項２は、前記インナーパーツは、ＬＤＰＥ、Ｌ−ＬＤＰＥ、ポリアミド、ＴＰＵなどのショアー硬度６０以下の軟質樹脂であることを特徴とする。
【００１２】
このインナーパーツをショアー硬度６０以下の軟質樹脂で形成することで、インナーパーツの柔軟性を確保することができ、嵌合部に好適にインナーパーツを嵌合させることができるようになる。
【００１３】
さらに、請求項３は、前記中味は、水、エタノール、オクタメチルシクロテトラシロキサン、デカメチルシクロペンタシロキサン、ドデカメチルシクロヘキサシロキサンなどの揮散成分を合計５重量％以上配合したものであることを特徴とする。
【００１４】
一般に、揮散成分を５重量％以上配合した中味は、揮散性が比較的顕著に表れ、製品としての寿命が短くなる傾向にあるが、インナーパーツに金属製の揮散防止パーツを設けて二層状の構成とすることで、中味の揮散成分がインナーパーツを透過することを防止できる。
【００１５】
【発明の実施の形態】
以下添付図面に基づいて、本発明に係る気密化粧料容器の一実施の形態を詳説する。
図１は本発明に係る気密化粧料容器を示す断面図、図２は同気密化粧料容器の要部を示す分解断面図、図３は同気密化粧料容器の要部を示す断面図、図４は同気密化粧料容器の効果について説明したグラフである。
【００１６】
図１〜図３に示すように気密化粧料容器１０は、収納容器１１内にガイド筒１２を設け、このガイド筒１２内に、ガイド筒１２に沿ってカートリッジ筒１３を昇降動自在に設け、このカートリッジ筒１３内に棒状化粧料（中味）１５の根元部１５ａを取り付け、カートリッジ筒１３を収納位置Ｐ１まで下げて棒状化粧料１５をガイド筒１２内に収納し、かつカートリッジ筒１３を使用位置Ｐ２まで上げて棒状化粧料１５をガイド筒１２から突出させるように構成している。
【００１７】
さらに、この気密化粧料容器１０は、カートリッジ筒１３を収納位置Ｐ１まで下げて棒状化粧料１５をガイド筒１２内に収納した状態で、ガイド筒１２に被せる金属製のキャップ１８を備えている。
このキャップ１８は、筒体１８ａの頂部を天井壁１８ｂで覆った金属製の蓋体で構成されている。
【００１８】
このキャップ１８は、収納容器１１の嵌合部１９との気密性を保つ必要があり、この嵌合部１９に好適に嵌合させるために、キャップ１８の素材よりも柔軟な樹脂製のインナーパーツ２０がその内部に設けられている。
【００１９】
また、気密化粧料容器１０は、インナーパーツ２０のうち、嵌合部１９の頂部１９ａに嵌合する部位であるリップ部２１を除いた内面２０ａに金属製の揮散防止パーツ２５を重設し、この揮散防止パーツ２５とインナーパーツ２０とは二層状に構成されている。
【００２０】
このインナーパーツ２０は、筒状の周壁２２の頂部が天井部２３で塞がれ、その周壁２２の下端部にはリップ部２１が一体に形成されている。
周壁２２および天井部２３で構成される内面とは、インナーパーツ２０のうち、嵌合部１９に嵌合する部位であるリップ部２１を除いた内面２０ａのことある。
【００２１】
このインナーパーツ２０は、低密度ポリエチレン（ＬＤＰＥ）、Ｌ−ＬＤＰＥ（α−オレフィンの共重合体）、ポリアミド、ＴＰＵなどのショアー硬度６０以下の軟質樹脂で成形される。
【００２２】
ついで、インナーパーツ２０をショアー硬度６０以下の軟質樹脂で成形することで、インナーパーツ２０の柔軟性を確保することができ、インナーパーツ２０のリップ部２１を嵌合部１９に好適に嵌合して、気密化粧料容器１０の気密性を確保することができる。
【００２３】
揮散防止パーツ２５は、周壁２６の頂部が天井壁２７で塞がれた金属製のカップであり、その周壁２６は、インナーパーツ２０の周壁２２の内面に一体に設けられ、天井壁２７は、インナーパーツ２０の天井部２３の内面に一体に設けられている。
具体的には、揮散防止パーツ２５は、インナーパーツ２０のうち、嵌合部１９に嵌合するリップ部２１を除いた内面２０ａに、例えばインサート成形により一体に設けられた金属製のカップで形成される。
【００２４】
すなわち、インナーパーツ２０のうち、リップ部２１を除いた内面２０ａに金属製の揮散防止パーツ２５を重設することで、揮散防止パーツ２５とインナーパーツ２０とを二層状に形成している。
【００２５】
このため、棒状化粧料１５に含まれている揮散成分が、図３に示す矢印のように揮散する際に、その揮散成分がインナーパーツ２０を透過することを金属製の揮散防止パーツ２５により防止している。
これにより、キャップ構造１０の気密性をより一層高めることができ、棒状化粧料１５の寿命をさらに長くすることができる。
【００２６】
なお、棒状化粧料１５は、水、エタノール、オクタメチルシクロテトラシロキサン、デカメチルシクロペンタシロキサン、ドデカメチルシクロヘキサシロキサンなどの揮散成分を合計５重量％以上配合したものである。
【００２７】
ここで、一般に、水、エタノール、オクタメチルシクロテトラシロキサン、デカメチルシクロペンタシロキサン、ドデカメチルシクロヘキサシロキサンなどの揮散成分を５重量％以上配合した棒状化粧料（中味）１５は、揮散性が比較的顕著に表れ、寿命が短くなる傾向にあるが、インナーパーツ２０に金属製の揮散防止パーツ２５を設けて二層状の構造とすることで、棒状化粧料１５の揮散成分がインナーパーツ２０を透過するのを防止している。
【００２８】
つぎに、図４に基づいて本発明の気密化粧料容器１０の効果を説明する。
比較例は、金属製のキャップ内に樹脂製のインナーパーツのみを単層で設けたものである。すなわち、本発明の実施の形態から揮散防止パーツ２５を除去した構造である。また実施例は、樹脂製のインナーパーツ２０に金属製の揮散防止パーツ２５を設けて二層状にしたものを金属製のキャップ内に備えた構造を示したものである。
【００２９】
前記比較例及び前記実施例の棒状化粧料１５の減量率（単位は、ｇ／日）を、環境条件２５℃−９５％ＲＨにて測定した。その結果を図４のグラフに示した。図４のグラフに示すように、比較例の測定結果は２．１９×１０−４であり、実施例の測定結果は１．８１×１０−４となった。
【００３０】
ここで、環境条件を表す「２５℃−９５％ＲＨ」の表示において、「ＲＨ」とは、Ｒｅｒａｔｉｖｅ  Ｈｕｍｉｄｉｔｙの略で、相対湿度を表す一般的な記述であり、「２５℃−９５％」とは２５℃の雰囲気下で、その温度の飽和水蒸気量の９５％の水分を、その空気中に含むことを意味し、これはすなわち相対湿度９５％ということになる。
【００３１】
この結果、比較例に比べて実施例の棒状化粧料１５の減量率が少ないことが判明し、これにより、実施例の気密化粧料容器１０は気密性を十分に高めることができ、棒状化粧料１５の寿命を長くすることができるということが判明する。
【００３２】
なお、前記実施の形態では、インナーパーツ２０の内面２０ａに金属製の揮散防止パーツ２５を設けて二層状の構造とした例について説明したが、これに限らないで、インナーパーツ２０の外面２０ｂに金属製の揮散防止パーツ２５を設けて二層状の構造としても同様の効果を得ることができる。
【００３３】
また、前記実施の形態では、樹脂製のインナーパーツ２０に金属製の揮散防止パーツ２５をインサート成形で一体に設ける例について説明したが、これに限らないで、樹脂製のインナーパーツ２０に金属製の揮散防止パーツ２５を嵌合させたものや、樹脂と金属との積層フィルムを素材として利用し、インナーパーツ２０と揮散防止パーツ２５との二層状の構造を得ることも可能である。
【００３４】
さらに、上記の説明では中味を棒状化粧料１５の例で説明したが、中味の具体例として、そのほかに口紅、コンシーラー、ファンデーションなどが該当する。
【００３５】
【発明の効果】
以上述べたように、請求項１による気密化粧料容器によれば、キャップと嵌合部との気密性を保つために、嵌合部に嵌合可能な樹脂製のインナーパーツをキャップ内に設けたので、嵌合部にインナーパーツを嵌合させることにより、化粧料容器の気密性を十分確保することができるようになった。
【００３６】
さらに、インナーパーツにおいて、嵌合部に嵌合する部位を除いた内面又は外面に金属製の揮散防止パーツを重設し、この揮散防止パーツとインナーパーツとを二層状に形成している。
このため、中味に含まれている揮散成分が揮散する際に、金属製の揮散防止パーツの存在により、その揮散成分がインナーパーツを透過することを防止できるようになった。
これにより、気密化粧料容器の気密性をより一層高めることができ、収納した棒状化粧料の寿命をさらに長くできるようになった。
【００３７】
請求項２は、インナーパーツをショアー硬度６０以下の軟質樹脂で形成したので、インナーパーツの柔軟性を確保することができ、嵌合部に好適にインナーパーツを嵌合できるようになり、化粧料容器の気密性をさらに高められるようにした。
【００３８】
請求項３は、中味の揮散成分を５重量％以上配合させることで、揮散性が顕著に表れ、棒状化粧料の寿命が短くなる傾向にあるものであっても、インナーパーツに金属製の揮散防止パーツを設けて二層状の構造とすることにより、中味の揮散成分がインナーパーツを透過するのを確実に防止できるようにした。
【図面の簡単な説明】
【図１】本発明に係る気密化粧料容器を示す断面図である。
【図２】本発明に係る気密化粧料容器の要部を示す分解断面図である。
【図３】本発明に係る気密化粧料容器の要部を示す断面図である。
【図４】本発明に係る気密化粧料容器の効果について説明したグラフである。
【符号の説明】
１０…気密化粧料容器
１１…収納容器
１５…棒状化粧料（中味）
１５ａ…棒状化粧料の根元部
１９…嵌合部
１８…キャップ
２０…インナーパーツ
２０ａ…インナーパーツにおいて、嵌合部に嵌合する部位を除いた内面
２０ｂ…インナーパーツにおいて、嵌合部に嵌合する部位を除いた外面
２１…リップ部
２５…揮散防止パーツ
【図１】
2004329632.tif 000003
【図２】
2004329632.tif 000004
【図３】
2004329632.tif 000005
【図４】
2004329632.tif 000006